(57)【要約】【課題】記録品質を温度変化にかかわらず安定させることを目的とする。【解決手段】記録信号の位相誤差量を測定（Ｓ１）し、測定によって得られた位相誤差量（Ｓ２，Ｓ３）に基づいて記録パワーを制御（Ｓ４）する。【選択図】図２
2008251078.tif 000002
【特許請求の範囲】
【請求項１】
光ディスクに光ピックアップによって記録する記録パワーを制御するに際し、
記録信号の位相誤差量を測定し、
測定によって得られた位相誤差量に基づいて前記記録パワーを制御する
光ディスク装置における記録パワー制御方法。
【請求項２】
光ディスクに光ピックアップによって記録する記録パワーを制御するに際し、
記録信号の位相誤差量を測定し、
予め設定された目標位相誤差量と前記測定によって得られた位相誤差量とを比較した結果に基づいて前記記録パワーを制御する
光ディスク装置における記録パワー制御方法。
【請求項３】
光ディスクに光ピックアップによって記録する記録パワーを制御するに際し、
所定の記録パワーを用いて信号を前記光ディスクに記録し、その記録された信号の位相誤差量を測定し、
予め設定された目標位相誤差量と前記測定によって得られた位相誤差量とを比較した結果に基づいて前記記録パワーを制御する
光ディスク装置における記録パワー制御方法。
【請求項４】
光ディスクに光ピックアップによって記録する記録パワーを制御するに際し、
所定の記録パワーを用いて信号を前記光ディスクに記録し、その記録された信号の位相誤差量を測定し、
予め設定された目標位相誤差量と前記測定によって得られた位相誤差量とを比較した結果に基づいて、目標位相誤差量と測定位相誤差量の差に対するパワー補正量を設定し、
記録パワーを前記パワー補正量によって補正して記録する
光ディスク装置における記録パワー制御方法。
【請求項５】
記録信号の位相誤差量の測定は、
ＥＦＭ信号の指定符号スペースの後の前記ＥＦＭ信号の指定符号マークの位相を測定する
請求項１〜請求項４の何れかに記載の光ディスク装置における記録パワー制御方法。
【請求項６】
請求項１〜請求項５の何れかに記載の記録パワー制御方法を実行するよう構成された
光ディスク装置。
【発明の詳細な説明】
【技術分野】
【０００１】
ＣＤ（Compact Disc），ＤＶＤなどの光ディスクにデータ信号を記録する光ディスク装置に関するものである。
【背景技術】
【０００２】
光ディスク装置は、光ディスクに対してレーザ光を照射することにより、情報の記録または再生を行うものであるため、情報の記録再生が正確になされるためには、光ディスクに照射されるレーザ光の強度を安定化して、光ディスク上に形成されるピットの深さを一定に保つことが必要となる。
【０００３】
ＤＶＤ±Ｒの記録動作時のパワー制御方法としては、目標βアシンメトリー値（以降、β値）を予め設定し、記録開始時に光ディスクの内周部にてβ値を測定して、目標記録パワーを設定している。
【０００４】
また、記録中においても、特定セクタ毎にβ値を測定し続け、もしも、設定されている目標β値からオフセットした場合には、そのオフセット量に応じたパワー補正値を加算、もしくは減算して、記録パワーを調整している。
【特許文献１】特開２００２−１５０５５８公報
【特許文献２】特開２００５−９２９５０公報
【発明の開示】
【発明が解決しようとする課題】
【０００５】
しかし、β値は温度によって測定値のばらつきが大きく、高温、低温時にパワー制御が不安定になっているのが現状である。特に、１４Ｔまでのすべての信号振幅が影響するため、記録パワーが極端に外れた場合には、β値を正しく測定できなくて、正しい記録パワー補正を実施できないのが現状である。
【０００６】
本発明は、高温、低温条件下で熱干渉などが発生しても、記録パワー補正を正しく実施できる記録パワー制御方法を提供することを目的とする。
【課題を解決するための手段】
【０００７】
本発明の請求項１記載の光ディスク装置における記録パワー制御方法は、光ディスクに光ピックアップによって記録する記録パワーを制御するに際し、記録信号の位相誤差量を測定し、測定によって得られた位相誤差量に基づいて前記記録パワーを制御することを特徴とする。
【０００８】
本発明の請求項２記載の光ディスク装置における記録パワー制御方法は、光ディスクに光ピックアップによって記録する記録パワーを制御するに際し、記録信号の位相誤差量を測定し、予め設定された目標位相誤差量と前記測定によって得られた位相誤差量とを比較した結果に基づいて前記記録パワーを制御することを特徴とする。
【０００９】
本発明の請求項３記載の光ディスク装置における記録パワー制御方法は、光ディスクに光ピックアップによって記録する記録パワーを制御するに際し、所定の記録パワーを用いて信号を前記光ディスクに記録し、その記録された信号の位相誤差量を測定し、予め設定された目標位相誤差量と前記測定によって得られた位相誤差量とを比較した結果に基づいて前記記録パワーを制御することを特徴とする。
【００１０】
本発明の請求項４記載の光ディスク装置における記録パワー制御方法は、光ディスクに光ピックアップによって記録する記録パワーを制御するに際し、所定の記録パワーを用いて信号を前記光ディスクに記録し、その記録された信号の位相誤差量を測定し、予め設定された目標位相誤差量と前記測定によって得られた位相誤差量とを比較した結果に基づいて、目標位相誤差量と測定位相誤差量の差に対するパワー補正量を設定し、記録パワーを前記パワー補正量によって補正して記録することを特徴とする。
【００１１】
本発明の請求項５記載の光ディスク装置における記録パワー制御方法は、請求項１〜請求項４の何れかにおいて、記録信号の位相誤差量の測定は、ＥＦＭ信号の指定符号スペースの後の前記ＥＦＭ信号の指定符号マークの位相を測定することを特徴とする。
【発明の効果】
【００１２】
この構成によると、従来のようにβ値に基づいて記録パワー制御するのではなく、位相誤差を測定してこれに基づいて記録パワー制御するので、高温、低温条件下で熱干渉などが発生しても、正しい記録パワー補正を実施できる。
【発明を実施するための最良の形態】
【００１３】
以下、本発明の記録パワー制御方法を具体的な実施の形態に基づいて説明する。
図１は本発明の記録パワー制御方法を実施する光ディスク装置を示す。
コンパクトディスク（Ｃｏｍｐａｃｔ  Ｄｉｓｃ），ＤＶＤ（Ｄｉｇｉｔｉｌｅ  Ｖｅｒｓａｔｉｌｅ  Ｄｉｓｋ），ブルーレイディスク（Ｂｌｕ−ｒａｙ  Ｄｉｓｃ）等の光ディスク１に記録されているデータ信号を再生し、データ信号を記録するこの光ディスク装置は、光ディスク１を脱着する機構を有するスピンドルモータ２を有し、このスピンドルモータ２に光ディスク１を固定して光ディスク１を回転させる。スピンドルモータ２はスピンドルモータ制御回路３により制御されて所望の回転スピードで光ディスク１を回転する。
【００１４】
光ディスク１にレーザビームＬＢを照射して信号を記録、また、光ディスク１にレーザビームＬＢを照射してその反射光を検出する光ピックアップ４には、光ディスク１からのデータ信号を再生する手段とデータ信号を記録する手段と、光ディスク１にあるサーボ制御信号を再生する手段を有している。
【００１５】
サーボプロセッサ５は、光ピックアップ４から再生されたサーボ制御信号による光ディスク上のサーボ情報に応じて光ディスク１の回転スピードをスピンドルモータ制御回路３に伝達し、また、サーボ情報から、光ピックアップ４の位置、角度、フォーカスなどを光ピックアップ４に伝達し、その情報により、光ピックアップ４はデータ信号の記録、再生に適した位置、角度、フォーカスなどに設定する。
【００１６】
光ピックアップ４により再生されたデータ信号は、位相誤差測定器７によりそれぞれの信号間、つまり、ＥＦＭ信号の指定符号スペースの後の前記ＥＦＭ信号の指定符号マークの位相を測定する。指定符号マークとしては光ディスクがＤＶＤの場合には、３Ｔ〜１４Ｔの何れかの位相誤差を測定する。この位相誤差測定器７には、例えば、国際公開番号ＷＯ２００２／０８４６５３などを使用してもよい。位相誤差測定器７により測定された各信号間の位相誤差値は、記録パワー制御器８により、目標とする信号間位相誤差と位相誤差測定器７からの信号間位相誤差による差を算出し、必要な記録パワー補正量を計算する。目標とする信号間位相誤差値や、記録パワー補正量については、あらかじめ決定しておいても良い。
【００１７】
光ディスク１にデータ信号を記録する場合には、レーザー駆動回路９は、記録パワー制御器８が算出した記録パワー補正を行った記録パワーにて光ピックアップ４により、光ディスク１に信号を記録する。
【００１８】
また、光ピックアップ４により再生されたデータ再生信号は、データ信号としてメモリ１０へ格納される。
位相誤差測定器７と記録パワー制御器８の部分は、マイクロコンピュータを主要部として構成されており、その構成を図２に示す。
【００１９】
まず、ステップＳ１では、光ピックアップ４により光メディアに記録されているデータ信号を再生する。再生されたデータ信号から、位相誤差測定器７によって、目標とする信号間の位相誤差値を測定する。測定する信号間位相については、ＤＶＤであれば、３Ｔ〜１４Ｔ信号のシグナル信号とマーク信号の位相、または、マーク信号とシグナル信号の位相であり、すべての位相、もしくは一部の位相でも良い。
【００２０】
なお、記録パワー制御器８には、目標とする信号間位相と、その信号間位相誤差値の目標値を設定しておく。目標とする位相誤差の目標値についても、各信号間のシグナル信号とマーク信号の位相、または、マーク信号とシグナル信号の位相の信号間位相誤差値であり、すべての位相誤差値、もしくは、一部の位相誤差値より算出した値でもよい。
【００２１】
また、図３のように、目標とする位相誤差値と測定された位相誤差値の差分量に対する記録パワー補正量も記録パワー制御器８に記憶させておく。
ステップＳ１に次いでステップＳ２では、記録パワー制御器８にて測定された位相誤差値と、設定されている目標とする位相誤差値により差分量を取得する。
【００２２】
ステップＳ３では、ステップＳ２で得られた差分量に応じて、設定されている図３の記録パワー補正テーブルより、記録パワー補正量を決定する。
ステップＳ４では、現状記録パワーに対して、ステップＳ３で決定した記録パワー補正量を加算したものを新たに記録パワーとし、レーザー駆動回路９に指令する。
【００２３】
このように位相誤差測定器７と記録パワー制御器８がステップＳ１〜ステップＳ４を実行し、レーザー駆動回路９は光ピックアップ４に記録パワーを新たに設定する。
図４は図２のフローチャートの詳細を示している。
【００２４】
あらかじめ、記録パワー制御器８には、目標とするデータ信号の位相誤差と、その位相誤差の目標値を設定しておく。目標とするデータ信号とは、光ディスク上で記録されている任意の領域で、光ディスクの反射率の低い領域であるマークと反射率の高い領域であるスペースとの組み合わせによって出来る信号であり、マークとスペースともに、光ディスク装置の周波数性能で決定される記録時間単位Ｔによって、たとえば、３Ｔマークというようにマーク長もしくはスペース長が分類される。データ信号の位相誤差とは、マークとスペース間もしくは、スペースとマーク間の位相について、データ信号内で誤差平均したものであり、測定量については位相誤差測定器７による。
【００２５】
目標とする信号の位相誤差については、目標とするマークとスペース間、または、スペースとマーク間、の前端側、もしくは後端側の位相誤差であり、特定長のマークと特定長のスペース１つの位相誤差でも良く、すべてのマーク、スペースの位相誤差、もしくは、一部の位相誤差でも良い。
【００２６】
また、目標とする位相誤差の目標値についても、各信号の位相誤差の前端側、後端側の１つの位相誤差値でも良く、すべての位相誤差、もしくは、一部の位相誤差値より算出した値でもよい。
【００２７】
ステップＳ１１では、光ディスク１に記録されているデータ信号を光ピックアップ４により再生する。再生されたデータ信号から、位相誤差測定器７において、目標とする位相誤差を測定する。
【００２８】
ステップＳ１２では、ステップＳ１１で得られた位相誤差値を記録パワー制御器８において、あらかじめ設定されている目標位相誤差値を比較する。ステップＳ１２において、比較した結果が適正範囲内であると判定された場合には、ステップＳ１３を実行して、記録パワーを変更することなく現状記録パワーで使用するように、レーザー駆動回路９に指令する。
【００２９】
ステップＳ１２において、比較した結果が適正範囲外であると判定された場合には、ステップＳ１４を実行して、測定位相誤差量が目標位相誤差量の適正範囲量より小さいかどうかを比較する。
【００３０】
ステップＳ１４において、測定位相誤差量が目標位相誤差量の適正範囲量より小さいと判定された場合には、ステップＳ１５を実行して、目標位相誤差量と測定位相誤差量との差分量とにもとづいて補正パワーテーブルから補正量を決定し、次にステップＳ１６を実行する。ステップＳ１６では、現状記録パワーに対してステップＳ１５で決定した補正量を加算して記録パワーを修正し、これを新たに記録パワーとし、レーザー駆動回路９に指令する。
【００３１】
ステップＳ１４において、測定位相誤差量が目標位相誤差量の適正範囲量より小さくないと判定された場合には、ステップＳ１７を実行して、目標位相誤差量と測定位相誤差量との差分量とにもとづいて補正パワーテーブルから補正量を決定し、次にステップＳ１８を実行する。ステップＳ１８では、現状記録パワーに対してステップＳ１７で決定した補正量を減算して記録パワーを修正し、これを新たに記録パワーとし、レーザー駆動回路９に指令する。
【００３２】
なお、目標とする信号が３Ｔスペース３Ｔマークの位相誤差の前端側の信号である場合は、位相誤差測定器７からの３Ｔスペース３Ｔマークの前端側の信号と比較し、目標とする３Ｔスペース３Ｔマークの位相誤差よりも、小さい側に位相がずれていれば記録パワーを加算し、大きい側に位相がずれていれば記録パワーを減算する。
【００３３】
図５は記録パワーを横軸とした、ＣＡＴＳ  ＰＩ  Ｅｒｒｏｒと３Ｔ位相シフトおよびβの関係の実測値を示しており、位相誤差測定器７からの３Ｔの位相誤差量である３Ｔ位相シフトは、βと同様に記録パワーに対して直線的な位相関係を持っていることがわかる。このことから３Ｔ位相シフトはβとほぼ同等な制御において、記録パワー制御が可能であることがわかる。
【００３４】
図６は３台のドライブが３０度でβおよび３Ｔ位相シフトが“０”に見える光ディスクを用いて、０度から５０度の間で光ディスク装置の温度を変えたとき、その光ディスクのβおよび３Ｔ位相シフトの見え方がどのように変化するかをまとめたものである。βがドライブ毎で温度により特異な変化を見せることに対し、３Ｔ位相シフトは温度による特性の変化をほとんど見せない。
【００３５】
また、光ディスク装置のパワーマージンの実力値と比較して、βの温度特性は無視できないレベルでの誤差となるため、βによるパワーコントロールは精度が悪く、βによるパワーコントロールを行なわず３Ｔ位相シフトによるパワーコントロールが優れている理由である。
【産業上の利用可能性】
【００３６】
光ディスク装置の温度変化に関わらず記録品質の向上に寄与でき、記録の品質向上を実現できる。
【図面の簡単な説明】
【００３７】
【図１】本発明の記録パワー制御方法を実行する光ディスク装置の構成図
【図２】同実施の形態の要部フローチャート
【図３】同実施の形態の補正テーブル説明図
【図４】同実施の形態の詳細なフローチャート
【図５】βと３Ｔ位相シフトの比較図
【図６】３台の光ディスク装置を０度から５０度の間で温度を変えたときのβおよび３Ｔ位相シフトの見え方の実験結果説明図
【符号の説明】
【００３８】
１    光ディスク
２    スピンドルモータ
３    スピンドルモータ制御回路
４    光ピックアップ
５    サーボプロセッサ
７    位相誤差測定器
８    記録パワー制御器
９    レーザー駆動回路
【図１】
2008251078.tif 000003
【図２】
2008251078.tif 000004
【図３】
2008251078.tif 000005
【図４】
2008251078.tif 000006
【図５】
2008251078.tif 000007
【図６】
2008251078.tif 000008